(57)【要約】【課題】  この発明は、洗顔料をきめ細かく泡立たせることのできる泡立て部材付の洗顔具と、この洗顔具を用いた洗顔方法を提供することを目的としている。【解決手段】  １デニール以下の極細繊維よりなる布材で布袋を形成し、その開口部周縁にメッシュ状の泡立て部材を取り付け、布袋は、二重布とし、この布には多数の小孔を設けて洗顔具を形成する。  この洗顔具を用いて、（１）メッシュ状の泡立て部材へ洗顔料をとり、当該泡立て部材を揉んで洗顔料を泡立て、（２）泡立った洗顔料が附着した泡立て部材を布袋の内側へ押し込み、（３）布袋を手先にはめ、泡立った洗顔料を布袋に設けた小孔から外部へ押し出しながら当該布袋を皮膚にあてて洗顔する。【選択図】        図１
2005095252.tif 000002
【特許請求の範囲】
【請求項１】
極細繊維よりなる布袋の開口部周縁にメッシュ状の泡立て部材を取り付けたことを特徴とする洗顔具。
【請求項２】
極細繊維は、１デニール以下としたことを特徴とする請求項１記載の洗顔具。
【請求項３】
布袋は、二重布とし、多数の小孔を設けたことを特徴する請求項１記載の洗顔具。
【請求項４】
極細繊維よりなり、複数の小孔を有する布に、メッシュ状の泡立て部材を重ねて周縁の一部又は全部を固定したことを特徴とする洗顔具。
【請求項５】
以下の手順で行うことを特徴とする請求項１乃至請求項３記載のいずれか一項記載の洗顔具を用いた洗顔方法。
（１）メッシュ状の泡立て部材へ洗顔料をとり、当該泡立て部材を揉んで洗顔料を泡立てる。
（２）泡立てた洗顔料を布袋の表面側に行き渡るように洗顔具全体を揉む。
（３）泡立て部材に残った洗顔料を搾るようにして布袋側に移し、布袋を手先にはめ、布袋を皮膚にあてて洗顔する。
【請求項６】
以下の手順で行うことを特徴とする請求項３記載の洗顔具を用いた洗顔方法。
（１）メッシュ状の泡立て部材へ洗顔料をとり、当該泡立て部材を揉んで洗顔料を泡立てる。
（２）泡立った洗顔料が附着した泡立て部材を布袋の内側へ押し込む。
（３）布袋を手先にはめ、泡立った洗顔料を布袋に設けた小孔から外部へ押し出しながら当該布袋を皮膚にあてて洗顔する。
【発明の詳細な説明】
【技術分野】
【０００１】
この発明は、洗顔料をきめ細かく泡立たせることのできる泡立て部材に、顔に当接して洗顔効果の上がる布袋などを連設した洗顔具と、この洗顔具を用いた洗顔方法に関する。
【背景技術】
【０００２】
従来、体を洗うためのタオルや洗顔具は種々のものが提案されている。例えば、メッシュ付タオル（実開昭６０−１６０７９０号公報）や、洗顔・風呂用パッド及び手袋（実開平７−２０９７８号公報）等である。
【０００３】
さらに、昨今、１デニール未満の超極細繊維を用いたメガネ用のワイピングクロスが種々提案されており、これらのメガネ用のワイピングクロスを用いて洗顔を行うことが知られている。
【０００４】
このようなワイピングクロスは、例えば、洗浄用具（実公平６−８７９０号公報）等があり、ワイピングクロスをなす超極細繊維としては、例えば清掃用布帛（特公昭５９−３０４１９号公報）等がある。
【特許文献１】実開昭６０−１６０７９０号公報
【特許文献２】実開平７−２０９７８号公報
【特許文献３】実公平６−８７９０号公報
【特許文献４】特公昭５９−３０４１９号公報
【発明の開示】
【発明が解決しようとする課題】
【０００５】
従来の体を洗うためのタオルや洗顔具は、洗顔料の良好な泡立ちを促進すべく、メッシュ素材を取り付け、配置する等の工夫がされているものがあり、また、洗顔用の泡立てネット等も製品化されている。
【０００６】
一方、超極細繊維からなるワイピングクロス（洗顔クロス）は、洗顔に用いると超極細繊維が毛穴や細かい皺等の肌の奥に詰まった汚れまで掻き取ることができるので、非常に高い洗顔効果を得ることができる。
【０００７】
しかし、超極細繊維からなるワイピングクロスは、超極細繊維が密に編まれているためそれ自体では泡立ちが不十分であり、洗顔料の泡の持続性もあまり良くないので、泡の特性が発揮されない問題があった。
【０００８】
また、超極細繊維を織って平面状とし、周縁が解れないように縫ってあると、洗顔しているうちにその縫い目が皮膚に当たることがあり、縫い目が皮膚に当たらないように移動させながら洗顔するのは不便を感じるおそれもあった。
【課題を解決するための手段】
【０００９】
この発明は、超極細繊維からなる布を手にはめて使用できるように袋状に成形して（又は手に装着しやすくして）使い勝手を良くするとともに、良好な泡立ち性を得るべくメッシュ素材を取り付けた従来にない洗顔具を提供すると共に、この洗顔具を用いた洗顔方法によって効率よく洗顔効果を得、前記従来の問題点を解決したのである。
【００１０】
すなわち、洗顔具の発明は、極細繊維よりなる布袋の開口部周縁にメッシュ状の泡立て部材を取り付けたことを特徴とする洗顔具であり（請求項１）、さらに、極細繊維は、１デニール以下としたものである（請求項２）。さらに、布袋は、二重布とし、多数の小孔を設けた洗顔具である（請求項３）。
【００１１】
さらに他の洗顔具の発明は、極細繊維よりなり、複数の小孔を有する布に、メッシュ状の泡立て部材を重ねて周縁の一部又は全部を固定したことを特徴とする洗顔具（請求項４）である。
【００１２】
洗顔方法の発明は、前記の各洗顔具（請求項１乃至３記載）を用い、「（１）メッシュ状の泡立て部材へ洗顔料をとり、当該泡立て部材を揉んで洗顔料を泡立てる。」「（２）泡立てた洗顔料を布袋の表面側に行き渡るように洗顔具全体を揉む。」「（３）泡立て部材に残った洗顔料を搾るようにして布袋側に移し、布袋を手先にはめ、布袋を皮膚にあてて洗顔する。」という手順で行うことを特徴とする洗顔方法である（請求項５）。
【００１３】
さらに他の洗顔方法の発明は、布袋を、二重布とし、多数の小孔を設けた洗顔具（請求項３）を用い、「（１）メッシュ状の泡立て部材へ洗顔料をとり、当該泡立て部材を揉んで洗顔料を泡立てる。」「（２）泡立った洗顔料が附着した泡立て部材を布袋の内側へ押し込む。」「（３）布袋を手先にはめ、泡立った洗顔料を布袋に設けた小孔から外部へ押し出しながら当該布袋を皮膚にあてて洗顔する。」という手順で行うことを特徴とする洗顔方法である（請求項６）。
【発明の効果】
【００１４】
この発明の洗顔具は、極細繊維よりなる布袋で洗顔できるようにしたので、極細繊維からなり周囲に縫い目を有する平面状のワイピングクロス（洗顔クロス）と比較して、洗顔している際に洗顔具がずれて縫い目が皮膚に当たることが気にならない効果がある。また、洗顔時に皮膚を擦る布袋に、メッシュ素材を取り付けたので、洗顔料を効率よく、よりきめ細かく泡立てることのできる。
【００１５】
布袋を形成する極細繊維は、１デニール以下としたので、皮膚との接触面積が大きく、また、皮膚の皺等の間に入り込んで高い洗浄効果を得ることができる。さらに、このような極細繊維に附着した泡立った洗顔料も毛穴等に入り込めるので、より高い汚れ落としの効果を得ることができる。
【００１６】
布袋は、二重袋としたので、布袋の皮膚への弾性が向上し、皮膚に軟らかく、かつ、十分な接触圧をもって洗顔できる。
【００１７】
また、布袋には、多数の小孔を設けたので、メッシュ素材で泡立てた泡をさらにきめ細かくして、布袋面に拡散させ高い洗浄効果を得ることができた。
【発明を実施するための最良の形態】
【００１８】
この発明の洗顔具は、極細繊維よりなる布袋の洗顔部材にメッシュ状の泡立て部材を取り付けて構成する。
【００１９】
布袋は洗顔時に皮膚にあてて洗顔する洗顔部材である。袋状としたのは、洗顔時に手先にはめて使用し易くするためである。使用者は、洗顔の際、布袋に使いやすい（洗顔しやすい）本数の指を入れればよい。４本の指全部を入れるようにしても良いが、人差し指と中指の２本、人差し指、中指と薬指の３本、親指を除いた４本とすれば、指先で顔をさするように洗顔することができる。布袋の大きさは、これらの使用方法や、使用者の手の大きさに応じて決めるべく、２〜３のサイズを作り、又は、伸縮自在布を介在させることもできる。
【００２０】
メッシュ状の泡立て部材は、洗顔前に洗顔料を泡立てる部分に相当するもので、これを布袋に取り付けることによって、皮膚にあてて実際に洗顔する部分である布袋とは別に泡立て部を有する洗顔具となるものである。
【００２１】
このため、泡立て部材は、布袋と一体となっていればよいが、この発明では、泡立て部材は、洗顔の邪魔にならないように、例えば、布袋の開口部周縁に取り付ける。開口部周縁に取り付けてあれば、開口部周縁の一部に取り付けてあっても、一周に亘って取り付けてあっても良い。一周に亘って取り付ける場合は、裾側が拡がるようにスカート状に取り付ければ、布袋内へ手先を入れ易くなる（図１、図５、図１１参照）。また、この際、図１、図５図示のようにプリーツを入れても良い。
【００２２】
布袋に用いる極細繊維は、１デニール以下とすることが望ましい。このような極細繊維は、種々の製造方法（例えば、分割又は剥離型）があり、その製造方法によって断面形状が異なる。断面の形状に角部を有する極細繊維を用いれば、その角部で汚れを掻き取ることができるので、洗浄効果が向上する。
【００２３】
布袋は、二重布とすることが好ましい。二重布とすることによって、弾力の向上（皮膚へ当接したとき）、泡の保持性が向上する。これは、布と布の間に存在する空気が泡の保持に作用している物と考えられる。
【００２４】
また、布袋には、多数の小孔（例えば１ｍｍ〜５ｍｍ程度）を設けた構成とすることができる。泡が附着した泡立て部材を布袋の内側へ押し込んだ状態で洗顔をすると前記小孔から、さらに細かく、クリーミーな泡が染み出てくる。
【実施例１】
【００２５】
この発明の実施例につき、図面を参照しつつ説明する。図１（ａ）は、この発明の洗顔具１の平面図、図１（ｂ）は正面図、図１（ｃ）は背面図、図２（ａ）は右側面図、図３（ｂ）は左側面図である。また、図３は図１（ａ）において、布袋を膨らませたときのＡ−Ａ拡大端面図である。
【００２６】
［構成］
この発明の洗顔具１は、極細繊維よりなる布袋２の開口部周縁２ａにメッシュ状の泡立て部材３を取り付けて構成している。
【００２７】
布袋２は、図３図示のように極細繊維よりなる布地４ａ、４ｂを二重に重ねて袋状に縫い合わせ、縫い目２ｂを袋状の内側へ配置してある。極細繊維は、直径約２μｍの超極細繊維を使用した。布袋２の形状は、図示のように開口部周縁２ａと反対側を手先の形状に合わせて丸く成形してある。前記における布袋２の口部周縁２ａの長さに対し、泡立て部材３は、周縁長さ１．５倍の円筒状メッシュであるから、これを布袋２の開口部周縁２ａに縫着すれば、必然的にプリーツ３ｂができる。
【００２８】
泡立て部材３は、筒状に編んだ樹脂製のメッシュ状素材を筒状の上下の縁を合わせるように二重に折り返し、合わせた縁３ａを布袋２の開口部周縁２ａに縫いつけた。
【００２９】
なお、図中、符号４は吊り紐である。
【００３０】
［使用方法］
前記のように構成した洗顔具１の使用方法について説明する。以下に説明する使用法は、この発明の洗顔方法の発明に相当する。
【００３１】
まず、下準備として洗顔具１全体を水で濡らしておく。次いで、泡立て部材３へ洗顔料６をとり、泡立て部材３を揉んで洗顔料を泡立てる（図４（ａ））。その後、泡立てた洗顔料６が布袋２に行き渡るように洗顔具１全体を揉む（図４（ｂ））。
【００３２】
次いで、泡立て部材３に残留した洗顔料６を搾り取り（図４（ｃ））、布袋２を手先にはめ（図４（ｄ））、皮膚にあてて洗顔する。
【００３３】
泡立て部材３から搾った洗顔料６は、布袋２上に移して洗顔に用いる。洗顔具１は、肌の皺、弛み防止のため、顔の中心から外側、下から上に動かすようにする。
【００３４】
洗顔は、肌の表面をなでるようにすれば十分である。クリーミーで微細な泡と、極細繊維とによって、毛穴や細かい皺の奥の汚れも掻き出し、デリケートな肌に負担をかけることなく洗顔を完了することができる。洗顔具１を用いて万遍なく洗顔した後は、肌に洗顔料６が残留しないように十分にすすぎ洗いをする。
【００３５】
なお、洗顔具１を用いて洗顔している際に泡が少なくなってきたら、洗顔具１に数滴の水を垂らして軽く揉めば、再び泡立たせることができる。
【実施例２】
【００３６】
次に、この発明の他の洗顔具７について図５、図６を参照しつつ説明する。
【００３７】
［構成］
この洗顔具７と、実施例１で説明した洗顔具１とが異なる点は、布袋２に、多数の小孔８、８を設けた点である。他の構成は、洗顔具１と同一であるので、その詳細な説明は省略する。
【００３８】
［使用方法］
洗顔具７の使用方法を図５に基づいて説明する。以下に説明する使用法は、この発明の他の洗顔方法の発明に相当する。
【００３９】
まず、洗顔具１の全体を水で濡らし、次いで、泡立て部材３へ適量の洗顔洗顔料６をとり、泡立て部材３を揉んで洗顔料６を泡立てる（図６（ａ））。
【００４０】
この後、図６（ｃ）図示のように、泡立った洗顔料６が附着した泡立て部材３を布袋２の内側へ押し込む。なお、その前に、実施例１の洗顔具１の使用方法と同様に図６（ｂ）図示のように泡立てた洗顔料６が布袋２に行き渡るように洗顔具１全体を揉む工程を行ってもよい。
【００４１】
図６（ｃ）図示のように泡立て部材３を布袋２の内側へ押し込んだ後は、布袋２を手先にはめ、泡立った洗顔料６を布袋２に設けた微小孔８、８から外部へ押し出しながら布袋２を皮膚にあてて洗顔する。
【００４２】
このように、泡立ち部３を布袋２内へ押し込むと、泡立った洗顔料６は、布袋２内から供給されることとなり、泡の持続性が良く、また、布袋２の外部に押し出された泡はより細かくてクリーミーな泡となる。
【実施例３】
【００４３】
この発明の他の実施例を図７に基づいて説明すると、極細繊維よりなる帽状の布地５と、同形のメッシュ状の泡立て部材３とを重ね合わせて帽状の外周部を縫着し、下部直線縁部を開口させて袋状の洗顔具９を構成したもので、図中、符号４は吊り紐、符号８、８は、小孔である。
【００４４】
前記実施例の洗顔具９は、布地５と泡立て部材３は共に二枚重ねとし、泡立てを良好にしてある。
【００４５】
前記洗顔具９を使用するには、洗顔料を泡立て部材３側につけて揉み、十分発泡したならば、泡を布地５側へ移し、又は、小孔８、８を介して移行させ、布地５と泡立て部材３とにより形成した袋部へ手先を入れて通常の要領で洗顔する。
【実施例４】
【００４６】
この発明の実施例を図８に基づいて説明すると、極細繊維よりなる帽状の布地の三方へ取付手段１０（ファスナー、ホック、マジックテープなど）を設けた洗顔布１１と、該洗顔布１１と同形で前記取付手段１０と係合する取付手段１０とを組み合わせて洗顔具１３を構成した。
【００４７】
前記実施例は、洗顔布１１と、泡立て部材１２とを取付手段により連結すれば、実施例３と同一になるが、その形状上、洗顔布１１と泡立て部材１２とを重ねてそのまま使用し、これを半折りして（図８（ｃ））使用することもできる。
【００４８】
この実施例の使用例は、実施例３とほぼ同一につき、使用方法の説明は省略した。
【実施例５】
【００４９】
この発明の他の実施例を図９に基づいて説明すると、極細繊維よりなる台形の布地を二重にして洗顔布１１を形成し、洗顔布１１の一側に相似形の泡立て部材１２を連設した洗顔具１６で、図中、符号８、８は小孔、符号１４はホックである。
【００５０】
この実施例は、図９（ｂ）図示のように、手１５に巻き付けて使用する。また、図９（ｃ）図示のようにファスナー１７によって袋状とし、手１５に装着して使用することもできる。
【実施例６】
【００５１】
この発明の他の実施例を図１０に基づいて説明すると、極細繊維よりなる楕円形布地よりなる洗顔布１１の裏面にメッシュ上の泡立て部材１２を重ねて外周部を縫着し、この発明の洗顔具１８を構成した。図中、符号４は、吊り紐、符号１９は面ファスナーである。
【００５２】
この発明は、図１０（ｃ）図示のように丸めて手に巻き付けて使用する。この際、メッシュ状の泡立て部材１２を中側にする。他の使用方法は、前記と同様であるから説明を省略する。
【００５３】
なお、前記面ファスナー１９に代えて、他の取付手段（例えば、ホック）によることもできる。
【００５４】
以上、この発明の好ましい実施例を添付図面を参照して説明したが、この発明はかかる実施例に限定されるものではなく、特許請求の範囲の記載から把握される技術的範囲において種々な形態に変更可能である。
【図面の簡単な説明】
【００５５】
【図１】（ａ）この発明の実施例の洗顔具の平面図。            （ｂ）同じく正面図。            （ｃ）同じく背面図。
【図２】（ａ）同じく右側面図。            （ｂ）同じく左側面図。
【図３】図１（ａ）におけるＡ−Ａ拡大端面図。
【図４】図１図示の洗顔具を用いた洗顔方法の順序を示す説明図で、（ａ）は、泡立て部材に洗顔料をとり、泡立て部材を揉んで洗顔料を泡立てる工程、（ｂ）は、泡立てた洗顔料を布袋の表面側に行き渡るように洗顔具全体を揉む工程、（ｃ）は、泡立て部材に残留した洗顔料を搾り取る工程、（ｄ）は、布袋を手先にはめ、皮膚にあてて洗顔する工程の説明図。
【図５】この発明の他の洗顔具の実施例の平面図。
【図６】図５図示の洗顔具を用いた洗顔方法を示す工程図で、（ａ）は、泡立て部材へ洗顔料をとり、当該泡立て部材を揉んで洗顔料を泡立てる工程、（ｂ）は、泡立てた洗顔料が布袋に行き渡るように洗顔具全体を揉む工程、（ｃ）は、泡立った洗顔料が附着した泡立て部材を布袋の内側へ押し込む工程、（ｄ）は、布袋を手先にはめ、泡立った洗顔料を布袋に設けた微小孔から外部へ押し出しながら布袋を皮膚にあてて洗顔する工程の説明図。
【図７】（ａ）同じく他の実施例の正面図。（ｂ）同じく背面図。（ｃ）同じく側面図。
【図８】（ａ）同じく他の実施例の正面図。（ｂ）同じく背面図。（ｃ）同じく側面図。
【図９】（ａ）同じく他の実施例の正面図。（ｂ）同じくホック止めの装着図。（ｃ）同じくファスナー止めの装着図。
【図１０】（ａ）同じく他の実施例の正面図。（ｂ）同じく背面図。（ｃ）同じくファスナー係止状態の平面図。
【図１１】図５図示の洗顔具とは異なり、メッシュ状の泡立て部材をプリーツを設けることなく布袋に装着した実施例の平面図。
【符号の説明】
【００５６】
１、７、９、１３、１６、１８  洗顔具
２  布袋
３  泡立て部材
４  吊り下げ紐
６  洗顔料
８  小孔
【図１】
2005095252.tif 000003
【図２】
2005095252.tif 000004
【図３】
2005095252.tif 000005
【図４】
2005095252.tif 000006
【図５】
2005095252.tif 000007
【図６】
2005095252.tif 000008
【図７】
2005095252.tif 000009
【図８】
2005095252.tif 000010
【図９】
2005095252.tif 000011
【図１０】
2005095252.tif 000012
【図１１】
2005095252.tif 000013